【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
「店舗側のために設置された若しくは店舗側が利用できるサーバー」側に備えられており、「消費者からの各商品もしくはその種類に関する『感想、評価、もしくは店舗側への問合せや要望や注文や申込みなどのメッセージ』」を、ネットワーク経由で受信する感想等ネット受信手段と、
「店舗側のために設置された若しくは店舗側が利用できるサーバー」側に備えられており、前記感想ネット受信手段で受信された「消費者からの各商品もしくはその種類に関する『感想、評価、もしくは店舗側への問合せや要望や注文や申込みなどのメッセージ』」を、各商品もしくはその種類と対応付けて記録もしくは蓄積する感想等蓄積手段と、
現実の店舗内に陳列された各商品もしくはその種類と１対１の対応関係が分かるような位置に配置されており、「前記感想等蓄積手段に記録もしくは蓄積されている前記消費者からの『感想、評価、もしくは店舗側への問合せや要望や注文や申込みなどのメッセージ』であって、自らと対応する位置に配置されている各商品もしくはその種類に対応する『感想、評価、もしくは店舗側への問合せや要望や注文や申込みなどのメッセージ』」を、前記感想等蓄積手段側から受信する感想等受信手段と、
現実の店舗内に陳列された各商品もしくはその種類と１対１の対応関係が分かるような位置に配置されており、「前記感想等受信手段により受信された前記消費者からの『感想、評価、もしくは店舗側への問合せや要望や注文や申込みなどのメッセージ』であって、自らと対応する位置に配置されている各商品もしくはその種類に対応する『感想、評価、もしくは店舗側への問合せや要望や注文や申込みなどのメッセージ』」を、現実の店舗内に居る店員もしくは来店客に向けて出力もしくは送信する感想等出力手段（前記感想等受信手段とハードウェア的に同一の機器により構成されていてもよい）と、
を備えたことを特徴とする、現実の店舗内における商品感想等提供システム。
【請求項２】
「店舗側のために設置された若しくは店舗側が利用できるサーバー」側に備えられており、「消費者からの各商品もしくはその種類に関する『感想、評価、もしくは店舗側への問合せや要望や注文や申込みなどのメッセージ』」を、ネットワーク経由で受信する感想等ネット受信手段と、
「店舗側のために設置された若しくは店舗側が利用できるサーバー」側に備えられており、前記感想等ネット受信手段で受信された「消費者からの各商品もしくはその種類に関する『感想、評価、もしくは店舗側への問合せや要望や注文や申込みなどのメッセージ』」を、各商品もしくはその種類と対応付けて記録もしくは蓄積する感想等蓄積手段と、
現実の店舗内に陳列された各商品もしくはその種類と１対１の対応関係が分かるような位置に配置されており、「前記感想等蓄積手段に記録もしくは蓄積されている前記消費者からの『感想、評価、もしくは店舗側への問合せや要望や注文や申込みなどのメッセージ』であって、自らと対応する位置に配置されている各商品もしくはその種類に対応する『感想、評価、もしくは店舗側への問合せや要望や注文や申込みなどのメッセージ』」を、前記感想等蓄積手段側から受信し記録する感想等記録手段と、
現実の店舗内に陳列された各商品もしくはその種類と１対１の対応関係が分かるような位置に配置されており、「前記感想等記録手段に記録されている前記消費者からの『感想、評価、もしくは店舗側への問合せや要望や注文や申込みなどのメッセージ』であって、自らと対応する位置に配置されている各商品もしくはその種類に対応する『感想、評価、もしくは店舗側への問合せや要望や注文や申込みなどのメッセージ』」を、現実の店舗内に居る店員もしくは来店客に向けて出力もしくは送信する感想等出力手段（前記感想等記録手段とハードウェア的に同一の機器により構成されていてもよい）と、
を備えたことを特徴とする、現実の店舗内における商品感想等提供システム。
【請求項３】
複数の商品が実際に陳列又は展示されている店舗を利用して、前記店舗内に陳列又は展示されている少なくとも「一つの商品」について、店舗の実際の来店客とインターネットなどのネットワーク上の遠隔の顧客とが共に、同じオークションに参加できるようにするための、遠隔オークションのための装置であって、
店舗内に陳列又は展示されている複数の商品の中の「或る一つの商品」の近傍又はその表面に、前記「或る一つの商品」と１対１の対応関係にあることが店舗の実際の来店客に分かるように配置された表示手段と、
前記の「或る一つの商品」の近傍に居る実際の来店客側が提示する前記「或る一つの商品」に関する入札価格などのオークションに関する情報と前記の実際の来店客に関する情報を、前記の「或る一つの商品」の近傍に居る実際の来店客側の端末（前記実際の来店客が携帯もしくは身体に装着した端末でもよいし、前記実際の来店客の近傍に在る端末であって店舗側が設置した端末でもよい）から、受信する「店内からの情報の受信手段」と、
前記のネットワーク上の遠隔の顧客側が提示する前記「一つの商品」に関する入札価格などのオークションに関する情報と前記のネットワーク上の遠隔の顧客に関する情報を、前記のネットワーク上の遠隔の顧客側の端末から、受信する「遠隔からの情報の受信手段」と、
前記「店内からの情報の受信手段」及び／又は前記「遠隔からの情報の受信手段」により受信された情報を、前記「一つの商品」と関連付けて記録するための情報記録手段と、
オークションの対象となっている「或る一つの商品」に関して、前記の店舗の実際の来店客側からの前記オークションに関する情報及び／又は前記のネットワーク上の遠隔の顧客側からの前記オークションに関する情報を、新たに受信したとき、前記「一つの商品」と１対１の対応関係にあることが分かるように配置されている表示手段に、前記「或る一つの商品」に関する入札価格などの情報を表示するための表示制御手段と、
を含むことを特徴とする、遠隔オークションシステム。
【手続補正２】
【補正対象書類名】明細書
【補正対象項目名】発明の名称
【補正方法】変更
【補正の内容】
【発明の名称】現実の店舗内における商品感想等提供システム
【手続補正３】
【補正対象書類名】明細書
【補正対象項目名】０００５
【補正方法】変更
【補正の内容】
【０００５】
本発明は、このような発想を切っ掛けとして為されたものであって、現実の店舗内に居るユーザー（来店客もしくは店員）が、「その現実の店舗内において自らの近傍に存在しており且つ現実に陳列されている或る陳列商品もしくはその陳列商品の種類についての『他の消費者側から提供された、感想、評価、もしくは店舗側への問合せや要望や注文や申込みなどのメッセージ』」を、該当の陳列商品の近傍で、容易に知ることができる、現実の店舗内における商品感想等提供システム、を提供することを目的とする。
【手続補正４】
【補正対象書類名】明細書
【補正対象項目名】０００６
【補正方法】変更
【補正の内容】
【０００６】
以上のような課題を解決するための本発明は、次のようなものである。
１  「店舗側のために設置された若しくは店舗側が利用できるサーバー」側に備えられており、「消費者からの各商品もしくはその種類に関する『感想、評価、もしくは店舗側への問合せや要望や注文や申込みなどのメッセージ』」を、ネットワーク経由で受信する感想等ネット受信手段と、「店舗側のために設置された若しくは店舗側が利用できるサーバー」側に備えられており、前記感想ネット受信手段で受信された「消費者からの各商品もしくはその種類に関する『感想、評価、もしくは店舗側への問合せや要望や注文や申込みなどのメッセージ』」を、各商品もしくはその種類と対応付けて記録もしくは蓄積する感想等蓄積手段と、現実の店舗内に陳列された各商品もしくはその種類と１対１の対応関係が分かるような位置に配置されており、「前記感想等蓄積手段に記録もしくは蓄積されている前記消費者からの『感想、評価、もしくは店舗側への問合せや要望や注文や申込みなどのメッセージ』であって、自らと対応する位置に配置されている各商品もしくはその種類に対応する『感想、評価、もしくは店舗側への問合せや要望や注文や申込みなどのメッセージ』」を、前記感想等蓄積手段側から受信する感想等受信手段と、現実の店舗内に陳列された各商品もしくはその種類と１対１の対応関係が分かるような位置に配置されており、「前記感想等受信手段により受信された前記消費者からの『感想、評価、もしくは店舗側への問合せや要望や注文や申込みなどのメッセージ』であって、自らと対応する位置に配置されている各商品もしくはその種類に対応する『感想、評価、もしくは店舗側への問合せや要望や注文や申込みなどのメッセージ』」を、現実の店舗内に居る店員もしくは来店客に向けて出力もしくは送信する感想等出力手段（前記感想等受信手段とハードウェア的に同一の機器により構成されていてもよい）と、を備えたことを特徴とする、現実の店舗内における商品感想等提供システム。
２  「店舗側のために設置された若しくは店舗側が利用できるサーバー」側に備えられており、「消費者からの各商品もしくはその種類に関する『感想、評価、もしくは店舗側への問合せや要望や注文や申込みなどのメッセージ』」を、ネットワーク経由で受信する感想等ネット受信手段と、「店舗側のために設置された若しくは店舗側が利用できるサーバー」側に備えられており、前記感想等ネット受信手段で受信された「消費者からの各商品もしくはその種類に関する『感想、評価、もしくは店舗側への問合せや要望や注文や申込みなどのメッセージ』」を、各商品もしくはその種類と対応付けて記録もしくは蓄積する感想等蓄積手段と、現実の店舗内に陳列された各商品もしくはその種類と１対１の対応関係が分かるような位置に配置されており、「前記感想等蓄積手段に記録もしくは蓄積されている前記消費者からの『感想、評価、もしくは店舗側への問合せや要望や注文や申込みなどのメッセージ』であって、自らと対応する位置に配置されている各商品もしくはその種類に対応する『感想、評価、もしくは店舗側への問合せや要望や注文や申込みなどのメッセージ』」を、前記感想等蓄積手段側から受信し記録する感想等記録手段と、現実の店舗内に陳列された各商品もしくはその種類と１対１の対応関係が分かるような位置に配置されており、「前記感想等記録手段に記録されている前記消費者からの『感想、評価、もしくは店舗側への問合せや要望や注文や申込みなどのメッセージ』であって、自らと対応する位置に配置されている各商品もしくはその種類に対応する『感想、評価、もしくは店舗側への問合せや要望や注文や申込みなどのメッセージ』」を、現実の店舗内に居る店員もしくは来店客に向けて出力もしくは送信する感想等出力手段（前記感想等記録手段とハードウェア的に同一の機器により構成されていてもよい）と、を備えたことを特徴とする、現実の店舗内における商品感想等提供システム。
３  「店舗側のために設置された若しくは店舗側が利用できるサーバー」側に備えられており、「消費者からの各商品もしくはその種類に関する『感想、評価、もしくは店舗側への問合せや要望や注文や申込みなどのメッセージ』」を、ネットワーク経由で受信する感想等ネット受信手段と、「店舗側のために設置された若しくは店舗側が利用できるサーバー」側に備えられており、前記感想等ネット受信手段で受信された「消費者からの各商品もしくはその種類に関する『感想、評価、もしくは店舗側への問合せや要望や注文や申込みなどのメッセージ』」を、各商品もしくはその種類と対応付けて記録もしくは蓄積する感想等蓄積手段と、現実の店舗内に陳列された各商品もしくはその種類と１対１の対応関係が分かるような位置に配置されており、「前記感想等蓄積手段に記録もしくは蓄積されている前記消費者からの『感想、評価、もしくは店舗側への問合せや要望や注文や申込みなどのメッセージ』であって、自らと対応する位置に配置されている各商品もしくはその種類に対応する『感想、評価、もしくは店舗側への問合せや要望や注文や申込みなどのメッセージ』」を、前記感想等蓄積手段側から受信する感想等受信手段と、現実の店舗内に陳列された各商品もしくはその種類と１対１の対応関係が分かるような位置に配置されており、「前記感想等受信手段により受信された前記消費者からの『感想、評価、もしくは店舗側への問合せや要望や注文や申込みなどのメッセージ』であって、自らと対応する位置に配置されている各商品もしくはその種類に対応する『感想、評価、もしくは店舗側への問合せや要望や注文や申込みなどのメッセージ』」を記録する感想等記録手段（前記感想等受信手段とハードウェア的に同一の機器により構成されていてもよい）と、現実の店舗内に陳列された各商品もしくはその種類と１対１の対応関係が分かるような位置に配置されており、「前記感想等記録手段に記録されている前記消費者からの『感想、評価、もしくは店舗側への問合せや要望や注文や申込みなどのメッセージ』であって、自らと対応する位置に配置されている各商品もしくはその種類に対応する『感想、評価、もしくは店舗側への問合せや要望や注文や申込みなどのメッセージ』」を、現実の店舗内に居る店員もしくは来店客に向けて出力もしくは送信する感想等出力手段（前記感想等受信手段もしくは前記感想等記録手段とハードウェア的に同一の機器により構成されていてもよい）と、を備えたことを特徴とする、現実の店舗内における商品感想等提供システム。
【手続補正５】
【補正対象書類名】明細書
【補正対象項目名】０００７
【補正方法】変更
【補正の内容】
【０００７】
本発明においては、他の消費者側から提供された「或る商品もしくはその種類」に関する「感想、評価、もしくは店舗側への問合せや要望や注文や申込みなどのメッセージ」を各「陳列商品もしくはその種類」と対応付けて記録もしくは蓄積しておき、各「陳列商品もしくはその種類」に関する他の消費者側からの「感想、評価、もしくは店舗側への問合せや要望や注文や申込みなどのメッセージ」を、「現実の店舗内において各『陳列商品もしくはその種類』と対応付けて配置されている機器」から、現実の店舗内に居るユーザー（店員もしくは来店客）に向けて出力もしくは送信するようにしている。
よって、本発明によれば、現実の店舗内に居るユーザー（店員もしくは来店客）は、「その現実の店舗内において自らの近傍に在る陳列商品もしくはその種類」に関する「感想、評価、もしくは店舗側への問合せや要望や注文や申込みなどのメッセージ」であって、その「陳列商品もしくはその種類」に関して他の消費者側から提供された「感想、評価、もしくは店舗側への問合せや要望や注文や申込みなどのメッセージ」を、該当の陳列商品の近傍で、容易に知ることができるようになる。